(57)【特許請求の範囲】
【請求項１】
注湯口を持つ上方のフランジ部と下方の管部とからなる浸漬ノズルの少なくとも２個を水平方向に該フランジ部の側面で当接した状態で、各該浸漬ノズルの各該フランジ部の下面を各該管部の両脇に平行する２列で支持する案内手段を備え、該案内手段の各列に設けられ先頭の該浸漬ノズルの該フランジ部の下面を押圧して溶湯保持容器の流出口部に押しつける複数個の第１鍵盤からなる押圧鍵盤列を持ち、該先頭の浸漬ノズルをそれに続く後方の該浸漬ノズルで水平方向に押し出すと共に後方の該浸漬ノズルを該押圧鍵盤列に乗せる、浸漬ノズル交換装置において、
前記案内手段は、各前記押圧鍵盤列の後方側に隣接して設けられた、後方の前記浸漬ノズルの該フランジ部の下面を押圧する少なくとも１個の第２鍵盤からなる補助押圧鍵盤列を持ち、
前記第２鍵盤は、後方の前記浸漬ノズルが水平方向で先頭の前記浸漬ノズルと隣り合う位置まで移動された時に、後方の前記浸漬ノズルの該フランジ部の先端が先頭の前記浸漬ノズルの該フランジ部と同じ高さとなるように、後方の前記浸漬ノズルの該フランジ部の下面の先方側を押圧することを特徴とする浸漬ノズル交換装置。
【請求項２】
前記第２鍵盤は、後方の前記浸漬ノズルの前記フランジ部の下面を押圧するその上面の部分が、先端側が高い傾斜面となっている請求項１に記載の浸漬ノズル交換装置。
【請求項３】
前記第２鍵盤は、後方の前記浸漬ノズルの前記フランジ部の下面を押圧するその上面の部分の先端側が、先頭の前記浸漬ノズルの前記フランジ部の下面の後端を押圧する請求項２に記載の浸漬ノズル交換装置。
【発明の詳細な説明】
【技術分野】
【０００１】
本発明は、金属溶湯の連続鋳造に用いられる、溶湯保持容器の底部に設けられた金属溶湯の流出口部の下に浸漬ノズルを押圧保持し、さらに、損耗した浸漬ノズルを交換する、浸漬ノズル交換装置に関する。
【背景技術】
【０００２】
金属溶湯の連続鋳造では、溶湯保持容器の底部に設けられた流出口部から金属溶湯を流出し、金属溶湯の注入や鋳込みを行ってきた。その際、流出口部に管状の浸漬ノズルを密着させて保持し、損耗した浸漬ノズルを未使用の浸漬ノズルに交換する、浸漬ノズル交換装置が用いられてきた。
【０００３】
浸漬ノズルを用いることで、溶融金属の注入や鋳込みに際して、溶融金属の酸化、非金属介在物の巻き込み防止及び乱流、スプラッシュの発生を防止できる。浸漬ノズルの管部は、内周面側で流動する金属溶湯に接し、外周面側で外気に触れるという厳しい条件で使用されるため、溶損、欠落あるいは折損などの損耗をしやすい。また、金属溶湯中のアルミナ等が浸漬ノズルの内周面に付着堆積して溶湯流路を狭め、著しい場合は閉塞させて鋳造作業の中断を余儀なくさせる。そのため、長時間連続して鋳込む場合、鋳込む途中で浸漬ノズルを頻繁に交換する必要がある。さらに、鋳造中断に起因する金属の品質劣化や鋳造再開にまつわるトラブルを防ぐために、鋳造中に浸漬ノズルを迅速に交換できることが求められている。
【０００４】
特許文献１には浸漬ノズルを保持し、迅速に交換するための浸漬ノズル交換装置が記載されている。この浸漬ノズル交換装置は、注湯口を持つ上方のフランジ部と下方の管部とからなる浸漬ノズルを、溶湯保持容器の流出口部の下に保持して浸漬ノズルを使用する装置である。また、この浸漬ノズル交換装置は、保持された使用中の浸漬ノズルのフランジ部の側面に水平方向に当接するよう使用前の浸漬ノズルを配置し、使用前の浸漬ノズルを使用中の浸漬ノズルの方向に押し出して、使用中の浸漬ノズルを使用前の浸漬ノズルに置換して交換する装置である。使用中の浸漬ノズルのフランジ部の下面で、管部の両脇それぞれに、１列に並ぶ４つの鍵盤によって、フランジ部の下面が上方の溶湯保持容器の流出口部に押しつけられて、使用中の浸漬ノズルは保持される。また、使用前の浸漬ノズルは、管部の両脇に伸延する上面が平滑な棒状の２つのガイドレールによりフランジ部で支持され、ガイドレール上を移動する。使用前の浸漬ノズルはガイドレール上で押圧されて、使用中の浸漬ノズルの方向へ移動する。このとき、使用前の浸漬ノズルが溶湯保持容器の流出口部の下部に移動すると、使用前の浸漬ノズルのフランジ部は鍵盤によって溶湯保持容器の流出口部に押しつけられつつ摺動するため、鋳造中であっても金属溶湯を漏らすことなく浸漬ノズルを交換することができる。
【先行技術文献】
【特許文献】
【０００５】
【特許文献１】実用新案登録第３００９１１２号公報
【発明の概要】
【発明が解決しようとする課題】
【０００６】
特許文献１の浸漬ノズル交換装置では、使用中の浸漬ノズルは鍵盤によって上方に押しつけられているため、ガイドレール上の使用前の浸漬ノズルより使用中の浸漬ノズルの方が高い位置になる。鍵盤の上面は、ガイドレールの上面よりも高い位置にあり、鍵盤の上面とガイドレールの上面とは段差がある。使用前の浸漬ノズルが使用中の浸漬ノズルの方へ押し出されて移動するときに、鍵盤とガイドレールとの間にこの段差、すなわち鍵盤の側面に引っかかって移動が止まり、スムーズに浸漬ノズルの交換が行われず、迅速な浸漬ノズルの交換が行われない怖れがあった。
【０００７】
本発明は上記した実情に鑑みてなされたものであり、鋳造中であっても金属溶湯を漏らすことなく浸漬ノズルを迅速かつ着実に交換できる浸漬ノズル交換装置を提供することを課題とする。
【課題を解決するための手段】
【０００８】
上記目的を達成するため、本発明の浸漬ノズル交換装置は、注湯口を持つ上方のフランジ部と下方の管部とからなる浸漬ノズルの少なくとも２個を水平方向に該フランジ部の側面で当接した状態で、各該浸漬ノズルの各該フランジ部の下面を各該管部の両脇に平行する２列で支持する案内手段を備え、該案内手段の各列に設けられ先頭の該浸漬ノズルの該フランジ部の下面を押圧して溶湯保持容器の流出口部に押しつける複数個の第１鍵盤からなる押圧鍵盤列を持ち、該先頭の浸漬ノズルをそれに続く後方の該浸漬ノズルで水平方向に押し出すと共に後方の該浸漬ノズルを該押圧鍵盤列に乗せる、浸漬ノズル交換装置において、前記案内手段は、各前記押圧鍵盤列の後方側に隣接して設けられた、後方の前記浸漬ノズルの該フランジ部の下面を押圧する少なくとも１個の第２鍵盤からなる補助押圧鍵盤列を持ち、前記第２鍵盤は、後方の前記浸漬ノズルが水平方向で先頭の前記浸漬ノズルと隣り合う位置まで移動された時に、後方の前記浸漬ノズルの該フランジ部の先端が先頭の前記浸漬ノズルの該フランジ部と同じ高さとなるように、後方の前記浸漬ノズルの該フランジ部の下面の先方側を押圧することを特徴とする。
【０００９】
先頭の浸漬ノズルのフランジ部は、下面にある押圧鍵盤列により上方に押しつけられ、溶湯保持容器の流出口部と密着している。一方、先頭の浸漬ノズルのフランジ部の後端に隣接して、後方の浸漬ノズルのフランジ部が位置している。先頭の浸漬ノズルのフランジ部が下面から押圧鍵盤列により上方に押しつけられているのと同様に、後方の浸漬ノズルのフランジ部の先端は、下面から補助押圧鍵盤列により上方に押圧されている。このため、後方の浸漬ノズルが押し出されて押圧鍵盤列上に移動する時、後方の浸漬ノズルは押圧鍵盤列の最後方の第１鍵盤の側面にひっかかることなくスムーズに押圧鍵盤列上に移動できる。すなわち、本発明の浸漬ノズル交換装置は、鋳造中であっても金属溶湯を漏らすことなく浸漬ノズルを迅速かつ着実に交換できる。
【００１０】
また、本発明の浸漬ノズル交換装置は、好ましくは、前記第２鍵盤は前記フランジ部下面を押圧するその上面の部分が、先端が高い傾斜面となっている。所定の位置では、後方の浸漬ノズルのフランジ部の先端部分の下面が補助押圧鍵盤列により上方に押圧されており、フランジ部の後端部分よりも高い位置にある。従って、後方の浸漬ノズルのフランジ部の先端の位置が、補助押圧鍵盤列よりも後方の位置から、所定の位置である補助押圧鍵盤列上となるよう、後方の浸漬ノズルが移動する時に、後方の浸漬ノズルのフランジ部の先端は高さ方向にも移動する必要がある。第２鍵盤の上面は、後端側は低く、先端側が高い傾斜面をもつため、後方の浸漬ノズルが所定の位置まで移動する時に、そのフランジ部の先端部分の下面が第２鍵盤の傾斜面に乗り、傾斜面に沿って上方に移動し、高さ方向への移動がスムーズで確実になさされる。このため、浸漬ノズルの交換をより迅速にかつ確実にできる。
【００１１】
さらに、本発明の浸漬ノズル交換装置は、好ましくは、前記第２鍵盤は前記フランジ部下面を押圧するその上面の部分の先端側が、先頭の前記浸漬ノズルの前記フランジ部下面の後端を押圧する。第２鍵盤の上面は先頭の浸漬ノズルのフランジ部にも当接するため、第２鍵盤の上面の高さは第１鍵盤の上面の高さと確実に等しくなる。従って、後方の浸漬ノズルが押し出されて先方に移動する時、後方の浸漬ノズルが最後方の第１鍵盤の側面にひっかかることがより一層抑止でき、浸漬ノズルはより確実に移動できる。このため、本実施形態の浸漬ノズル交換装置は、鋳造中であっても金属溶湯を漏らすことなく浸漬ノズルを迅速かつ着実に交換できる。
【発明の効果】
【００１２】
本発明の浸漬ノズル交換装置は、先頭の浸漬ノズルのフランジ部の下面が押圧鍵盤列により上方に押され、フランジ部の上面が溶湯保持容器の流出口部の下面に押し付けられて密着する。一方、先頭の浸漬ノズルのフランジ部の後端に隣接して、後方の浸漬ノズルのフランジ部が位置している。先頭の浸漬ノズルのフランジ部の下面が押圧鍵盤列により上方に押されるのと同様に、後方の浸漬ノズルのフランジ部の先端部分の下面が補助押圧鍵盤列により上方に押圧されている。このため、後方の浸漬ノズルが押し出されて押圧鍵盤列上に移動する時、後方の浸漬ノズルは押圧鍵盤列の最後方の第１鍵盤の側面にひっかかることなくスムーズに押圧鍵盤列上に移動できる。すなわち、本発明の浸漬ノズル交換装置は、鋳造中であっても金属溶湯を漏らすことなく浸漬ノズルを迅速かつ着実に交換できる。
【図面の簡単な説明】
【００１３】
【図１】実施形態１に係る浸漬ノズル交換装置の側面図である。
【図２】実施形態１に係る浸漬ノズル交換装置の上面図である。
【図３】実施形態１に係る浸漬ノズル交換装置の正面図である。
【図４】実施形態１に係る浸漬ノズル交換装置の浸漬ノズル交換途中における側面図である。
【図５】実施形態２に係る浸漬ノズル交換装置の側面図である。
【図６】実施形態３に係る浸漬ノズル交換装置の側面図である。
【発明を実施するための形態】
【００１４】
（実施形態１）
金属溶湯を収納する溶湯保持容器３は、その底部に流出口部３１が設けられ、流出口部３１の下には、管状の浸漬ノズル２が保持される。溶湯保持容器３の流出口部３１から流出した金属溶湯は、流出口部３１の下に保持された管状の浸漬ノズル２の管部２２の内周面側を流れる。使用中の浸漬ノズル２ａが損耗すると、使用前の浸漬ノズル２ｂに交換される。本実施形態の浸漬ノズル交換装置１は、溶湯保持容器３の底部の流出口部３１の下に浸漬ノズル２ａを保持し、浸漬ノズル２ａが損耗すると使用前の浸漬ノズル２ｂに交換する機能を有する。
【００１５】
溶湯保持容器３の底部には、金属溶湯が流出する開口３１１をもつ流出口部３１が設けられている。流出口部３１は図に示したものに限らず、少なくとも開口３１１を持てばよい。
【００１６】
浸漬ノズル２は、上方に注湯口２１１をもつフランジ部２１と、下方の管部２２からなる。また、フランジ部２１の側面および下面、そして、管部２２の上方を覆う鉄皮２３が設けられている。本実施形態のフランジ部２１は、角を丸めた正方形状をしている。フランジの形状は、角を丸めた正方形状に限らず、対向する平行な２辺を有する形状であればよく、例えば、八角形状や、角を丸めた長方形状であってもよい。浸漬ノズル２は、溶湯保持容器３底部の流出口部３１に押しつけられて使用される。使用中の浸漬ノズル２ａの側面に当接する位置に、使用前の浸漬ノズル２ｂが配置される。使用前の浸漬ノズル２ｂを使用中の浸漬ノズル２ａの方（先方Ｆ）に押し出して、使用前の浸漬ノズル２ｂを使用中（先頭）の浸漬ノズル２に交換する。ここで、先方Fと逆の方向を後方Ｂとする。
【００１７】
浸漬ノズル交換装置１は、使用中の浸漬ノズル２ａを溶湯保持容器３底部の流出口部３１に押しつける第１鍵盤１１１からなる鍵盤列１１、使用前の浸漬ノズル２ｂの位置を調節する第２鍵盤１２１からなる補助押圧鍵盤列１２、交換中の浸漬ノズルａ持する先方下面保持部材１３１、使用前の浸漬ノズル２ｂを支持する後方下面保持部材１３２、そして使用中および使用前の浸漬ノズルの側面を支持する側面保持部材１３３（図２参照）を有する案内手段と、使用前の浸漬ノズル２ｂを押し出す押し出し部材１４とを有する。
【００１８】
鍵盤列１１は、溶湯保持容器３底部の流出口部３１の下方で、使用中の浸漬ノズル２ａのフランジ部２１を上方に押しつける４個の第１鍵盤１１１が列に並んだものである。鍵盤列１１は互いに間隔を隔てて平行した２つあり、この２つは使用中の浸漬ノズル２ａの管部２２を挟み、使用中の浸漬ノズル２ａのフランジ部２１の下に設けられている。
【００１９】
鍵盤列１１に含まれる第１鍵盤１１１の数は４個としたが、１個以上あればよく、３個、２個でもよく、場合によっては１個でもよい。図１〜３に第１鍵盤１１１を図示した。
【００２０】
第１鍵盤１１１は、図２に示すように、使用中の浸漬ノズル２ａの管部２２から離れる方向に水平に伸びた棒状のものである。ただし、第１鍵盤１１１の形状は、この形状に限らず、フランジ部２１の下部側の端でふくらんだ棒状のものとしてもよい。鍵盤列１１を構成する各第１鍵盤１１１を串刺しにするように、回動軸部１１３が各第１鍵盤１１１を貫通するとともに各第１鍵盤１１１を支持している。
【００２１】
使用中の浸漬ノズル２ａのフランジ側からみて、回動軸部１１３から離れた位置に、第１鍵盤１１１の上方から第１鍵盤１１１を下方に押圧する鍵盤押圧部材１１２が設けられている。なお、１個の第１鍵盤１１１に対して１個の鍵盤押圧部材１１２が設けられている。
【００２２】
鍵盤押圧部材１１２は第１鍵盤１１１を押圧できればよく、例えば油圧シリンダーを用いてよい。鍵盤押圧部材１１２が第１鍵盤１１１の上方から第１鍵盤１１１を下方に押圧すると、第１鍵盤１１１は回動軸部１１３を中心に回動し、フランジ部２１の下面を第１鍵盤１１１が上に押しつける。回動軸部１１３は、回動する第１鍵盤１１１を支持すればよいので、必ずしも鍵盤列１１を串刺しにするように、回動軸部１１３が各第１鍵盤１１１を貫通するものでなくともよく、例えば、鍵盤列１１を下を向いた凹みをもつ形状にし、回動軸部１１３が凹みに収まるようにしたものであってもよい。
【００２３】
使用中の浸漬ノズル２ａのフランジ部２１の下面が第１鍵盤１１１に上方に押圧されることで、フランジ部２１は溶湯保持容器３底部の流出口部３１に押しつけられ、ひいては、使用中の浸漬ノズル２ａは溶湯保持容器３底部の流出口部３１に押しつけられて保持される。
【００２４】
第２鍵盤１２１は、鍵盤列１１のうち後方Ｂ側の端にある第１鍵盤１１１の後方B側の隣に設けられた鍵盤である。図１、図５および図６に示すように、第２鍵盤１２１は、使用前の浸漬ノズル２ｂの先方F側の端を上方に押圧し、使用前の浸漬ノズル２ｂの先方F側の端の高さが、使用中の浸漬ノズル２ａと同じになるように調節する。第２鍵盤１２１は、第１鍵盤１１１同様、回動軸部（図示せず）に支持され、鍵盤押圧部材（図示せず）により押圧される。第２鍵盤１２１を支える回動軸部は、第１鍵盤１１１を支える回動軸部１１３が伸展したものでもよいし、第１鍵盤１１１と独立したものでもよい。鍵盤押圧部材１１２は、第２鍵盤１２１の上面の高さが、第１鍵盤１１１の上面を超えないよう調節されている。
【００２５】
さらに、先方Ｆもしくは後方Ｂに伸展し、使用中および使用前の浸漬ノズル２ａ，２ｂの管部２２を挟むように設けられた２個１対の案内部材が３種類設けられている。３種の案内部材は、鍵盤列１１の先方Ｆ側に設けられた使用済みの浸漬ノズル２を下面から保持する先方下面保持部材１３１と、補助押圧鍵盤１２の後方Ｂ側に設けられた使用前の浸漬ノズル２ｂを下面から保持する後方下面保持部材１３２と、使用中および使用前の浸漬ノズル２ａ，２ｂのフランジ部２１を挟むように設けられた、浸漬ノズル２ａおよび２ｂの側面の位置を調節する側面保持部材１３３である。使用済みの浸漬ノズル２を適宜処理できればよいため、場合によっては、先方下面保持部材１３１はなくともよい。
【００２６】
押し出し部材１４は、使用前の浸漬ノズル２ｂの後方Ｂ側に設けられている。押し出し部材１４は使用前の浸漬ノズル２ｂを使用中の浸漬ノズル２ａの方（先方Ｆ）に押し出し、使用前の浸漬ノズル２ｂを使用中の浸漬ノズル２ａに置換する。押し出し部材１４は使用前の浸漬ノズル２ｂを押し出せればよく、例えば油圧シリンダーを用いてもよい。
【００２７】
本実施形態の浸漬ノズル交換装置１の動作について説明する。まず、使用前の浸漬ノズル２ｂを、押し出し部材１４により溶湯保持容器３の流出口下部に押し出し、使用時の位置へ移動させる。流出口の下部に位置する浸漬ノズル２ａは、複数の第１鍵盤１１１により、フランジ部２１が流出口に押しつけられ、流出口と密着して保持され、使用される。次に、使用中の浸漬ノズル２ａの後方Ｂ側に、使用前の浸漬ノズル２ｂが置かれる。そして、使用前の浸漬ノズル２ｂは、先方Ｆ側の側面が、使用中の浸漬ノズル２ａのフランジ部２１の後方Ｂ側の側面と隣り合う位置まで移動される。この時、使用前の浸漬ノズル２ｂのフランジ部２１の先方Ｆ側の端は、第２鍵盤１２１により押圧され、使用中の浸漬ノズル２ａのフランジ部２１と同じ高さとなる。使用中の浸漬ノズル２ａが損耗して、交換が必要になった時に、使用前の浸漬ノズル２ｂは、押し出し部材１４により先方Ｆ側に押し出され、使用中の浸漬ノズル２ａの位置まで移動し、使用中の浸漬ノズル２ａは使用前の浸漬ノズル２ｂに置換されて、使用中の浸漬ノズル２ａは使用前の浸漬ノズル２ｂに交換される。
【００２８】
本実施形態の浸漬ノズル交換装置１は、使用中（先頭）の浸漬ノズル２ａのフランジ部２１が複数の第１鍵盤１１１により溶湯保持容器３底部の流出口部３１に押しつけられ、フランジ部２１と流出口部３１の下面は密着している。このため、流出口部３１と使用中の浸漬ノズル２ａの間で、金属溶湯の空気の吸い込みや漏れは抑制される。
【００２９】
また、使用前（後方Ｂ）の浸漬ノズル２ｂが押し出し部材１４により先方Fに押し出され、流出口下部にさしかかると、使用前の浸漬ノズル２ｂのフランジ部２１は第１鍵盤１１１により流出口部３１に押しつけられ、流出口部３１と使用前の浸漬ノズル２ｂとは密着する。使用前の浸漬ノズル２ｂが先方Ｆに押し出される時、使用中および使用前の浸漬ノズル２ｂは溶湯保持容器３の流出口部３１の下面に押しつけられつつ摺動するため、鋳造中であっても金属溶湯を漏らすことなく浸漬ノズル２を交換することができる。
【００３０】
使用中の浸漬ノズル２ａのフランジ部２１は、下面にある押圧鍵盤列１１により上方に押しつけられ、溶湯保持容器３の流出口部３１と密着している。一方、使用中の浸漬ノズル２ａのフランジ部２１の後端に隣接して、使用前の浸漬ノズル２ｂのフランジ部２１が位置している。使用中の浸漬ノズル２ａのフランジ部２１が下面から押圧鍵盤列１１により上方に押しつけられているのと同様に、使用前の浸漬ノズル２ｂのフランジ部２１の先端は、下面から補助押圧鍵盤列１２により上方に押圧されている。このため、使用前の浸漬ノズル２ｂが押し出されて押圧鍵盤列１１上に移動する時、使用前の浸漬ノズル２ｂは押圧鍵盤列１１の最後方の第１鍵盤１１１の側面にひっかかることなくスムーズに押圧鍵盤列１１上に移動できる。すなわち、本実施形態の浸漬ノズル交換装置１は、鋳造中であっても金属溶湯を漏らすことなく浸漬ノズル２を迅速かつ着実に交換できる。
【００３１】
（実施形態２）
本実施形態は実施形態１と基本的には同様の構成および同様の作用効果を有する。本実施形態の浸漬ノズル交換装置１を図５に示した。図５に示すように、本実施形態の第２鍵盤１２１は、浸漬ノズル２のフランジ部２１下面を押圧する上面の部分が、先端側が高い傾斜面となっている。
【００３２】
所定の位置では、使用前の浸漬ノズル２ｂのフランジ部２１は、先端では下面から補助押圧鍵盤列１２により押圧されており、後端よりも高い位置にある。従って、使用前の浸漬ノズル２ｂのフランジ部２１の先端の位置が、補助押圧鍵盤列１２よりも後方Ｂ側の位置から、所定の位置である補助押圧鍵盤列１２上となるよう、使用前の浸漬ノズル２ｂが移動する時に、使用前の浸漬ノズル２ｂのフランジ部２１の先端は高さ方向にも移動する必要がある。第２鍵盤１２１の上面は、後端側は低く、先端側が高い傾斜面をもつため、使用前の浸漬ノズル２ｂが所定の位置まで移動する時に、高さ方向への移動はスムーズで確実になさされる。このため、浸漬ノズル２の交換をより迅速にかつ確実にできる。
【００３３】
（実施形態３）
本実施形態は実施形態１および２と基本的には同様の構成および同様の作用効果を有する。本実施形態の浸漬ノズル交換装置１を図６に示した。図６に示すように、本実施形態の第２鍵盤１２１は、使用中の浸漬ノズル２ａの後端および使用前の浸漬ノズル２ｂを上方に押圧するものである。本実施形態の第２鍵盤１２１は、実施形態２の第２鍵盤１２１と同様に、浸漬ノズル２のフランジ部２１下面を押圧する上面の部分が、先端側が高く、後端側が低い傾斜面となっている。第２鍵盤１２１の上面は使用中の浸漬ノズル２ａのフランジ部２１にも当接するため、第２鍵盤１２１の上面の高さは第１鍵盤１１１の上面の高さと確実に等しくなる。従って、使用前の浸漬ノズル２ｂが押し出されて先方Ｆ側に移動する時、使用前の浸漬ノズル２ｂが最後方Ｂ側の第１鍵盤１１１の側面にひっかかることがより一層抑止でき、浸漬ノズル２はより確実に移動できる。このため、本実施形態の浸漬ノズル２交換装置１は、鋳造中であっても金属溶湯を漏らすことなく浸漬ノズル２を迅速かつ着実に交換できる。
【００３４】
（その他）
本発明は上記し且つ図面に示した実施形態のみに限定されるものではなく、要旨を逸脱しない範囲内で適宜変更して実施できる。
【符号の説明】
【００３５】
１・・浸漬ノズル交換装置    １１・・鍵盤列    
１１１・・第１鍵盤    １１２・・鍵盤押圧部材    １１３・・回動軸部
１２・・補助押圧鍵盤列    １２１・・第２鍵盤    
１３１・・先方下面保持部材    １３２・・後方下面保持部材    １３３・・側面保持部材    
１４・・押し出し部材    
２・・浸漬ノズル    ２ａ・・使用中（先頭）の浸漬ノズル    ２ｂ・・使用前（後方）の浸漬ノズル    ２１・・フランジ部    ２１１・・注湯口    ２２・・管部    ２３・・鉄皮    
３・・溶湯保持容器    ３１・・流出口部    ３１１・・開口
【図１】
0006402122.tif 000002
【図２】
0006402122.tif 000003
【図３】
0006402122.tif 000004
【図４】
0006402122.tif 000005
【図５】
0006402122.tif 000006
【図６】
0006402122.tif 000007